(57)【要約】【課題】音質向上を図り得るに充分な容量のエンクロージャを容易に構成し得る遊技機を提供する。【解決手段】前枠１３の前下枠部２５ｂに、スピーカ２７が収容される第１構成部２８が設けられる。第１構成部２８は、前下枠部２５ｂの前壁２９と、前壁２９から後方に延在する前筒状部３０とから構成されて、第１構成部２８によって後方に開放する第１空間Ｓ１が画成される。前枠１３の中下枠部２１ｂに、打球発射装置２３が配設される第２構成部３２が設けられる。第２構成部３２は、中下枠部２１ｂの設置壁３３と、設置壁３３から前方に延出する後筒状部３４とから構成され、第２構成部３２によって前方に開放する第２空間Ｓ２が画成される。前枠１３を中枠１２に対して閉成した閉鎖状態では、第１構成部２８の後端部が第２構成部３２の前端部に突き合わされて、第１空間Ｓ１と第２空間Ｓ２とが連通する。【選択図】図４
2019005098.tif 000002
【特許請求の範囲】
【請求項１】
外郭をなす外枠に開閉自在に組み付けられ、遊技構成部材が配設された中枠と、該中枠に開閉自在に組み付けられ、スピーカが配設された前枠とを備えた遊技機において、
前記前枠に設けられて裏側に開放する第１空間を画成し、前記スピーカが出力部を前枠の表側を向く姿勢で前記第１空間に収容される第１構成部と、
前記中枠に設けられ、前記遊技構成部材が配設される第２構成部とを備え、
前記第２構成部に、前記中枠の表側に開放する第２空間が画成され、
前記中枠に対して前記前枠を閉成した状態で、前記第１構成部の後端部が前記第２構成部の前端部に突き合わされて前記第１空間と前記第２空間とが連通して、前記第１構成部および前記第２構成部によってスピーカ用のエンクロージャが構成される
ことを特徴とする遊技機。
【請求項２】
前記第２構成部は、前記中枠に一体成形されている請求項１記載の遊技機。
【請求項３】
前記前枠に、前記第１空間を表側に開放するバスレフポートが設けられている請求項１または２記載の遊技機。
【請求項４】
前記中枠および前記前枠は一方の側部がヒンジ接続されると共に、前記中枠および前記前枠の他方の側部に、該中枠および前枠を施錠する施錠装置が配設され、
前記第１構成部および前記第２構成部の何れか一方の構成部の近傍に被係合部が設けられると共に、他方の構成部の近傍に、前記中枠に対して前記前枠を閉成した状態で前記被係合部に係合して前記前枠の開放方向への移動を規制する係合部が設けられ、
前記係合部は、前記施錠装置の開錠操作に連動して前記被係合部との係合状態が解除されるよう構成した請求項１〜３の何れか一項に記載の遊技機。
【請求項５】
前記中枠に遊技盤が配設されると共に、該遊技盤の遊技領域に向けて遊技球を発射する遊技構成部材としての打球発射装置が前記第２構成部に配設されている請求項１〜４の何れか一項に記載の遊技機。
【発明の詳細な説明】
【技術分野】
【０００１】
本発明は、スピーカを備えた遊技機に関するものである。
【背景技術】
【０００２】
代表的な遊技機であるパチンコ機は、前後に開口する矩形枠状に形成されて遊技店の設置枠台に固定される固定枠としての外枠と、該外枠に対して開閉可能に支持されて遊技盤を着脱可能に保持する本体枠としての中枠と、該中枠の前側に開閉可能に支持されてパチンコ機前面を装飾すると共に遊技盤を透視保護する装飾枠としての前枠とを基本的に備えている。またパチンコ機では、前記遊技盤の盤面に画成した遊技領域の略中央位置に枠状の装飾部材(所謂センター役物)が配設されて、該装飾部材の開口から液晶式やドラム式等の図柄表示装置を臨ませ、この図柄表示装置で図柄組み合わせゲームやリーチ演出等の遊技演出を行うよう構成されている。
【０００３】
前記パチンコ機では、各種効果音を出力するスピーカを配設し、図柄表示装置で行われる遊技演出に合わせて各種効果音をスピーカから出力することで、遊技の臨場感や興趣を高めるようにしている(例えば、特許文献１参照)。また、パチンコ機にスピーカを設ける場合は、音質の向上を図る目的で、スピーカの背面側をエンクロージャで覆ったエンクロージャ構造のスピーカユニットが採用されている。
【０００４】
前記スピーカユニットの配置形態として、スピーカとエンクロージャとを別々に構成して前枠に取り付ける形態、前枠に設ける機構の一部をエンクロージャとして機能するように構成し、該機構(エンクロージャ)にスピーカを取り付ける形態、外枠における中枠の下方に配設された輿板にエンクロージャを設けて、該エンクロージャにスピーカを取り付ける形態、中枠および輿板に設けたエンクロージャをダクトで連結し、該エンクロージャにスピーカを取り付ける形態等が採用されている。
【先行技術文献】
【特許文献】
【０００５】
【特許文献１】特開２００４−１８７９１１号公報
【発明の概要】
【発明が解決しようとする課題】
【０００６】
しかしながら、前述した各種のスピーカユニットの配置形態では、エンクロージャの容量が制限されて充分な音質向上を図ることができなかったり、エンクロージャの大きな容量を確保し得るものの大きな設計変更が必要となったり、あるいは枠側に設けた制御基板との配線の接続作業が煩雑となる等の難点があった。
【０００７】
そこで本発明は、従来の技術に係る遊技機に内在する前記課題に鑑み、これを好適に解決するべく提案されたものであって、音質向上を図り得るに充分な容量のエンクロージャを容易に構成し得る遊技機を提供することを目的とする。
【課題を解決するための手段】
【０００８】
前記課題を解決し、所期の目的を達成するため、本願の請求項１に係る発明は、
外郭をなす外枠(11)に開閉自在に組み付けられ、遊技構成部材(23)が配設された中枠(12)と、該中枠(12)に開閉自在に組み付けられ、スピーカ(27)が配設された前枠(13)とを備えた遊技機において、
前記前枠(13)に設けられて裏側に開放する第１空間(S1)を画成し、前記スピーカ(27)が出力部(27a)を前枠(13)の表側を向く姿勢で前記第１空間(S1)に収容される第１構成部(28)と、
前記中枠(12)に設けられ、前記遊技構成部材(23)が配設される第２構成部(32)とを備え、
前記第２構成部(32)に、前記中枠(12)の表側に開放する第２空間(S2)が画成され、
前記中枠(12)に対して前記前枠(13)を閉成した状態で、前記第１構成部(28)の後端部が前記第２構成部(32)の前端部に突き合わされて前記第１空間(S1)と前記第２空間(S2)とが連通して、前記第１構成部(28)および前記第２構成部(32)によってスピーカ用のエンクロージャ(28,32)が構成されることを要旨とする。
【０００９】
請求項１に係る発明によれば、遊技構成部材を配設するために中枠に設けられる第２構成部を利用してスピーカ用のエンクロージャを構成するようにしたので、前枠や中枠に専用のエンクロージャを設ける場合に比べて設計が容易で、かつ大きな容量を確保することができる。また、スピーカおよびエンクロージャは枠に設けられているので、枠側に設けた基板とスピーカとの配線の接続作業が容易となる。
【００１０】
請求項２に係る発明は、前記第２構成部(32)は、前記中枠(12)に一体成形されていることを要旨とする。
この構成によれば、第２構成部をネジ止め固定する等の煩雑な作業を省略することができ、組み立て工数を削減できる。
【００１１】
請求項３に係る発明は、前記前枠(13)に、前記第１空間(S1)を表側に開放するバスレフポート(31)が設けられていることを要旨とする。
この構成によれば、スピーカの音質向上を図り得る。
【００１２】
請求項４に係る発明は、前記中枠(12)および前記前枠(13)は一方の側部がヒンジ接続されると共に、前記中枠(12)および前記前枠(13)の他方の側部に、該中枠(12)および前枠(13)を施錠する施錠装置(36)が配設され、
前記第１構成部(28)および前記第２構成部(32)の何れか一方の構成部(32)の近傍に被係合部(37)が設けられると共に、他方の構成部(28)の近傍に、前記中枠(12)に対して前記前枠(13)を閉成した状態で前記被係合部(37)に係合して前記前枠(13)の開放方向への移動を規制する係合部(38)が設けられ、
前記係合部(38)は、前記施錠装置(36)の開錠操作に連動して前記被係合部(37)との係合状態が解除されるよう構成したことを要旨とする。
この構成によれば、前枠を中枠から離すように引っ張られたとしても、係合部と被係合部との係合によって第１構成部と第２構成部とが離間して隙間ができるのを防止することができ、エンクロージャとしての機能が損なわれるのを防止し得る。
【００１３】
請求項５に係る発明は、前記中枠(12)に遊技盤(14)が配設されると共に、該遊技盤(14)の遊技領域(14a)に向けて遊技球を発射する遊技構成部材としての打球発射装置(23)が前記第２構成部(32)に配設されていることを要旨とする。
この構成によれば、打球発射装置を配設するための第２構成部を利用してスピーカ用のエンクロージャを構成することができる。
【発明の効果】
【００１４】
本発明に係る遊技機によれば、音質向上を図り得るに充分な容量のエンクロージャを容易に構成することができる。
【図面の簡単な説明】
【００１５】
【図１】本発明の好適な実施例に係るパチンコ機を示す正面図である。
【図２】実施例の前枠を取り外した状態で示すパチンコ機の正面図である。
【図３】(ａ)は、前枠の要部概略背面図であり、(ｂ)は、中枠の要部概略正面図である。
【図４】実施例の中枠に対して前枠を閉成した状態で示す要部概略断面図である。
【図５】前枠の係合部と、中枠の被係合部との関係を示す説明図であって、(ａ)は係合前の状態を示し、(ｂ)は係合した状態を示す。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明では、「前」、「後」、「左」、「右」とは、特に断りのない限り、図１に示すように、外枠１１、中枠１２および前枠１３を相互に閉成した状態でパチンコ機１０を正面側(遊技者側)から見た状態で指称するものとする。
【実施例】
【００１７】
(パチンコ機１０について)
図１に示す如く、実施例に係るパチンコ機１０は、前後に開口する矩形枠状に形成されて遊技店の図示しない設置枠台に縦置き姿勢で設置される固定枠としての外枠１１の開口前面側に、遊技盤１４を着脱可能に保持する本体枠としての中枠１２が開閉および着脱可能に組み付けられて、該遊技盤１４の裏側に、各種図柄を変動表示可能な図柄表示装置１５が着脱可能に配設されている。また、前記中枠１２の前面側には、前記遊技盤１４を透視保護するガラス板や透明な合成樹脂材により形成された透明部材１３ａで前後に開口する窓部１３ｂを覆うよう構成された装飾枠としての前枠１３が開閉可能に組み付けられる。前枠１３の下部位置には、パチンコ球を貯留する上球受け皿１６および下球受け皿１７が上下に離間して前枠１３と一体的に開閉可能に設けられている。また前枠１３には、下球受け皿１７の側方に、前記中枠１２に配設された後述する打球発射装置２３を作動する操作ハンドル１８が設けられる。この操作ハンドル１８は、左回転方向に付勢された操作レバー１８ａを備え、該操作レバー１８ａを右回転するよう遊技者が回動操作することで打球発射装置２３が作動されて、前記上球受け皿１６に貯留されたパチンコ球が前記遊技盤１４に向けて発射されるようになっている。なお、前記図柄表示装置１５としては、各種図柄を表示可能な液晶パネルを収容ケースに収容した液晶表示装置や、ドラム式の図柄表示装置やドットマトリックス式の図柄表示装置等の各種図柄を停止および変動表示可能な従来公知の各種の図柄表示装置を採用し得る。
【００１８】
(外枠１１について)
前記外枠１１は、図２に示す如く、上縁を構成する外上枠部１９ａと、下縁を構成する外下枠部１９ｂと、左縁を構成する外第１側枠部１９ｃと、右縁を構成する外第２側枠部１９ｄとから基本的に構成され、これら上下左右の枠部１９ａ,１９ｂ,１９ｃ,１９ｄを組み付けることで外枠１１が縦長の矩形枠体として構成される。そして、外枠１１に対して中枠１２は、後述する中第１側枠部２１ｃ側(一方の側部)が、第１ヒンジ機構２０を介して開閉および着脱自在に支持(ヒンジ接続)され、外枠１１に対して中枠１２を閉成することで、該外枠１１の内側に中枠１２が収容されるよう構成される。また、外枠１１に対して中枠１２は、第１ヒンジ機構２０による枢支側とは反対の側縁側(他方の側部)が、中枠１２の後述する中第２側枠部２１ｄおよび前枠１３の前第２側枠部２５ｄに設けた施錠装置３６によって、該中枠１２は外枠１１に対して閉成状態に保持されるようになっている。
【００１９】
(中枠１２について)
前記中枠１２は、図２に示す如く、上縁をなす中上枠部２１ａと、下縁をなし、打球発射装置２３や各種制御装置等を設置する設置部として機能する中下枠部２１ｂと、左縁(一方の側縁)をなす中第１側枠部２１ｃと、右縁(他方の側縁)をなす中第２側枠部２１ｄとから構成されて、これら上下左右の枠部２１ａ,２１ｂ,２１ｃ,２１ｄを組み付けた際に、全体が外枠１１の開口領域に整合する大きさに形成される。そして、前述したように外枠１１に対して中枠１２の中第１側枠部２１ｃ側が、第１ヒンジ機構２０を介して回動自在に支持されて、中第２側枠部２１ｄ側が施錠装置３６により施錠されるようになっている。また、中枠１２には、上下左右の枠部２１ａ,２１ｂ,２１ｃ,２１ｄを組み付けることで前後に開口する遊技盤保持部２２が画成され、該遊技盤保持部２２に遊技盤１４が着脱自在にセット保持される。
【００２０】
前記中枠１２の中下枠部２１ｂの前面(表面)には、打球発射装置２３が配設される。また、中下枠部２１ｂの裏側には、図示しないが、パチンコ機１０の球払出し装置を駆動制御する払出し制御装置、中枠１２に設置された打球発射装置２３を駆動制御する発射制御装置等の各種制御装置が配設されている。払出し制御装置、発射制御装置は、遊技盤１４の裏側に配設される図示しないメイン制御手段に配線接続され、このメイン制御手段からの制御信号に基づいて所定の制御が実行される。なお、図１,図２において、遊技盤１４の前面に配設されている各種の遊技部品は、後述する案内レール２４を除いて図示省略してある。
【００２１】
(遊技盤１４について)
前記遊技盤１４は、合板等の木製板部材の表面にセル板を配設したもの、あるいはアクリル板等の透明な合成樹脂材等からなる平板状の板部材で構成される。遊技盤１４の前面には、案内レール２４によって遊技領域１４ａが画成され(図２参照)、前記中枠１２に配設された打球発射装置２３から発射されたパチンコ球が遊技領域１４ａ内に打ち出され、該遊技領域１４ａ内をパチンコ球が流下して遊技が行われる。また遊技盤１４の前面には、図示しないが、遊技領域１４ａ内に枠状装飾部材、パチンコ球が入賞可能な始動入賞装置、特別入賞装置、普通入賞装置等の各種入賞装置および多数本の遊技釘や風車等の各種遊技部品が配設されている。遊技盤１４の裏側には、図柄表示装置１５、可動演出装置および発光装置等の各種の遊技部品が配設される合成樹脂材で形成された図示しない設置部材が配設される。そして、設置部材に形成された前後に開口する開口部および枠状装飾部材に形成した窓口を介して図柄表示装置１５の表示部を前面側から視認し得るよう構成されている。
【００２２】
前記始動入賞装置には、遊技領域１４ａを流下するパチンコ球が入賞可能な始動入賞口が設けられると共に、該始動入賞口へ入賞したパチンコ球を検出する始動入賞センサが設けられる。そして、始動入賞検出センサによるパチンコ球の検出を契機としてメイン制御装置から演出制御手段(図示せず)に制御信号が出力され、該演出制御手段の制御下に前記図柄表示装置１５の表示部で図柄変動が開始されるようになっている。また、前記特別入賞装置には、遊技領域１４ａを流下するパチンコ球が入賞可能な特別入賞口、該特別入賞口を常には閉鎖する開閉可能な開閉扉および特別入賞口へ入賞したパチンコ球を検出する特別入賞センサが設けられる。特別入賞装置は、前記図柄表示装置１５での図柄変動の結果、図柄表示装置１５に所定の図柄組み合わせ(例えば同一図柄の三つ揃い等)で図柄が停止表示されることで所謂「大当り」が発生し、これにより開閉扉が開放するよう作動制御されて、遊技者が賞球を獲得し得る機会が与えられるよう構成されている。前記メイン制御手段は、始動入賞センサや特別入賞センサから出力されたパチンコ球の検出信号が入力されると、払出し制御装置に制御信号を出力し、該払出し制御装置の制御下に球払出し装置に対応するセンサ(入賞口)毎に予め設定された数の賞球を払い出させるようになっている。
【００２３】
前記パチンコ機１０では、前記遊技盤１４の裏側に配設される演出制御手段の制御基板(基板)に、各種の発光装置やスピーカ２７(後述)が配線接続されており、該演出制御手段の制御信号に基づいて発光装置やスピーカ２７が制御されて、発光装置を発光させたりスピーカ２７から効果音を出力するよう構成されている。なお、発光装置やスピーカ２７は、該発光装置やスピーカ２７の配設位置に応じて、中枠１２や前枠１３に配設された中継基板(基板)を介して演出制御手段に電気的に接続される。
【００２４】
(前枠１３について)
前記前枠１３は、全体が合成樹脂により前記中枠１２の外形サイズに成形されると共に、前記遊技盤１４の遊技領域１４ａを前側から視認し得る前記窓部(可視部)１３ｂが開設されており、該前枠１３の裏側に保持した透明部材１３ａによって遊技盤１４の遊技領域１４ａを透視可能に保護するよう構成される。前枠１３は、図１に示す如く、上縁をなす前上枠部２５ａと、下縁をなす前下枠部２５ｂと、左縁(一方の側縁)をなす前第１側枠部２５ｃと、右縁(他方の側縁)をなす前第２側枠部２５ｄが一体的に成形され、前下枠部２５ｂの前面に前記上下の球受け皿１６,１７が設けられている。そして、中枠１２に対して前枠１３は、前第１側枠部２５ｃ(一方の側部)が第２ヒンジ機構２６を介して回動自在に支持(ヒンジ接続)され、中枠１２に対して前枠１３を前第１側枠部２５ｃ側を中心として回動して閉成することで、中枠１２の前側が前枠１３で覆われる。また、中枠１２に対して前枠１３を閉成した状態で、前記施錠装置３６を利用して前第２側枠部２５ｄ(他方の側部)が中枠１２に対して施錠されるようになっている。なお、実施例では前枠１３に上下の球受け皿１６,１７を一体的に設けるようにしたが、下球受け皿１７を中枠１２に対して開閉自在に配設する構成を採用し得る。
【００２５】
(前枠１３の第１構成部２８について)
前記前下枠部２５ｂの左下端部に、スピーカ２７が収容される第１構成部２８が設けられている。第１構成部２８は、図３(ａ)、図４に示すように、前下枠部２５ｂを構成する前壁２９と、該前壁２９の裏面から後方に延在する角筒状の前筒状部３０とから構成されて、該第１構成部２８(前壁２９および前筒状部３０)によって後方に開放する第１空間Ｓ１が画成される。そして、該第１空間Ｓ１に、出力部(コーン部)２７ａを前壁２９に向けた姿勢でスピーカ２７が収容される。前壁２９における第１空間Ｓ１に臨む領域に、複数の放音孔(開口部)２９ａが設けられ、第１空間Ｓ１に収容されたスピーカ２７から出力された音が、該放音孔２９ａからパチンコ機前方へ放出される。実施例では、前下枠部２５ｂに第１構成部２８が一体成形されている。
【００２６】
前記第１構成部２８には、図４に示す如く、前記前壁２９における放音孔２９ａの形成領域から離れた位置において、前記第１空間Ｓ１を前側(表側)に開放する筒状のバスレスポート３１が設けられている。すなわち、スピーカ２７の背面側から出力された音を、バスレフポート３１からパチンコ機前方に放出することで、低音域の音質を向上し得るように構成される。
【００２７】
(中枠１２の第２構成部３２について)
前記中下枠部２１ｂの前面(表面)に、図２、図３(ｂ)、図４に示す如く、遊技構成部材としての前記打球発射装置２３が配設される第２構成部３２が設けられている。この第２構成部３２は、中下枠部２１ｂを構成する設置壁３３と、該設置壁３３から前方に延出する角筒状に形成された後筒状部３４とから構成されて、該第２構成部３２(設置壁３３および後筒状部３４)によって前方に開放する第２空間Ｓ２が画成される。そして、第２構成部３２における後筒状部３４の外周面に、前記打球発射装置２３の一部が位置決め固定されるよう構成される。具体的に、打球発射装置２３は、後筒状部３４の外側の設置壁３３および後筒状部３４の外周面に対してネジ等の固定手段によって位置決め固定されるようになっている。また、前枠１３を中枠１２に対して閉成した閉鎖状態では、該前枠１３に設けた前記第１構成部２８における前筒状部３０の後端部が、第２構成部３２における後筒状部３４の前端部に突き合わされて、第１空間Ｓ１と第２空間Ｓ２とが連通して、前記スピーカ２７が収容された１つのスピーカ収容空間を前枠１３と中枠１２とに亘って画成するよう構成される。すなわち、実施例のパチンコ機１０では、前枠１３の第１構成部２８と、中枠１２の第２構成部３２とによって、スピーカ用のエンクロージャが構成される。
【００２８】
前記第２構成部３２の後筒状部３４における前端部に、図３(ｂ)、図４に示す如く、全周に亘って段部３４ａが形成されると共に、該段部３４ａに所定厚みで弾性変形可能なシール材３５が配設されている。該シール材３５は、後筒状部３４の全周に亘って配設されており、前記中枠１２に対する前枠１３の閉鎖状態で、該シール材３５の前端面が、第１構成部２８における前筒状部３０の後端部の全体に弾力的に当接して、第１構成部２８と第２構成部３２との間を密閉可能に構成される。すなわち、中枠１２に対する前枠１３の閉鎖状態でスピーカ２７の背面側に出る音が漏れるのを防止するよう構成される。またシール材３５は、第１構成部２８の前筒状部３０における後端面のみならず、外周面にも当接する形状に形成されており、シール材３５が第１構成部２８の前筒状部３０に対して広い範囲で密着して音漏れを確実に防止し得るよう構成してある。シール材３５としては、スポンジが好適に用いられるが、その他の弾性変形可能な発泡体等であってもよい。
【００２９】
(施錠装置３６について)
前記外枠１１に対して中枠１２を開錠可能に施錠すると共に、中枠１２に対して前枠１３を開錠可能に施錠する施錠装置３６として、実施例では「ダブル錠型式」と呼ばれる型式の施錠装置が用いられている。この施錠装置３６は、図１に示す如く、前枠１３における前第２側枠部２５ｄの前面に鍵穴を露出させた錠操作部３６ａと、鍵穴から差し込んだ鍵の回動操作によって作動する作動機構３６ｂとを備える。作動機構３６ｂは、外枠１１に設けた外枠被係合部に係脱する外枠係合部(何れも図示せず)および中枠１２に設けた中枠係合部に係脱する中枠係合部(何れも図示せず)を備える。そして、錠操作部３６ａの鍵穴から差し込んだ鍵を一方へ回転させる操作に基づき、作動機構３６ｂが作動して外枠被係合部に対する外枠係合部の係合が解除されることで、中枠１２と外枠１１とが開錠される。また、錠操作部３６ａの鍵穴に差し込んだ鍵を他方へ回転させる操作に基づき、作動機構３６ｂが作動して中枠被係合部に対する中枠係合部の係合が解除されることで、前枠１３と中枠１２とが開錠される。
【００３０】
前記中枠１２の中下枠部２１ｂおよび前枠１３の前下枠部２５ｂには、中枠１２に対して前枠１３の離間方向(開放方向)への移動を規制する移動規制手段４１が設けられている。この移動規制手段４１は、中下枠部２１ｂにおける前記第２構成部３２の近傍に配設された被係合部３７と、前下枠部２５ｂにおける前記第１構成部２８の近傍に配設されて被係合部３７に係脱可能な係合部３８とを備える。被係合部３７は、実施例では図３(ｂ)に示す如く、第２構成部３２の下端と中下枠部２１ｂの下端との間に設けられている。また、係合部３８は、実施例では図３(ａ)に示す如く、第１構成部２８の下端と前下枠部２５ｂの下端との間に設けられると共に、該係合部３８は、前記施錠装置３６の作動機構３６ｂに連動機構３９を介して連繋されている。また係合部３８は、図５に示す如く、被係合部３７に係脱可能な爪部４０を備え、該爪部４０が被係合部３７と係合した状態で、中枠１２に対する前枠１３の前方(開放方向)への移動が規制されるよう構成される。
【００３１】
前記係合部３８は、図５(ｂ)に示す被係合部３７との係合状態において、図示しない付勢手段によって被係合部３７に係合する方向(図の左方向)に向けて付勢されており、前記施錠装置３６の錠操作部３６ａの鍵穴から差し込んだ鍵を、前枠１３と中枠１２とを開錠する開錠操作によって作動する作動機構３６ｂに連動して連動機構３９が作動し、係合部３８を、被係合部３７との係合状態が解除される方向(図の右方向)に移動(図５(ｂ)の二点鎖線)するよう構成される。また、前記爪部４０は、中枠１２との対向面が傾斜するように形成されており、中枠１２に対して前枠１３を閉成する際には、傾斜面４０ａが被係合部３７に前側から当接することで係合部３８が前記付勢手段の付勢力に抗して前記解除される方向に移動し、傾斜面４０ａが被係合部３７から離脱することで、係合部３８が前記係合する方向に移動して前記爪部４０が被係合部３７に係合するよう構成される。すなわち、中枠１２に対して前枠１３を閉成する際には、施錠装置３６の開錠操作を行うことなく被係合部３７に対して係合部３８を係合させ得るよう構成される。なお、連動機構３９としては、作動機構３６ｂと係合部３８とをワイヤやリンク機構等によって連繋する構成を採用することができる。
【００３２】
ここで、前記第１構成部２８に対する係合部３８の配設位置および第２構成部３２に対する被係合部３７の配設位置は、対応する構成部２８,３２の近傍であって、中枠１２に対して前枠１３を前側に引っ張った際に、第１構成部２８と第２構成部３２との間に隙間ができるのを防ぐことができる位置に設定される。
【００３３】
〔実施例の作用〕
次に、前述した実施例に係るパチンコ機１０の作用につき説明する。
前記操作ハンドル１８の操作レバー１８ａを回動操作することにより前記打球発射装置２３が作動してパチンコ球が遊技盤１４の遊技領域１４ａに向けて打ち出される。遊技領域１４ａに打ち出されたパチンコ球が始動入賞装置に入賞すると、前記図柄表示装置１５の図柄が変動開始され、該図柄表示装置１５での図柄変動演出の結果、図柄表示装置１５に所定の図柄組合わせで図柄が停止表示されたときに大当りが発生する。そして、大当りが発生すると、図柄表示装置１５に表示された図柄組み合わせに応じて、前記特別入賞装置の入賞口が開放され、多数の賞球の獲得が可能となる。
【００３４】
前記図柄表示装置１５で実行される図柄変動演出に応じて、前記各種の演出装置が作動制御されて、動作や光による演出により遊技の興趣が高められる。また、前記前枠１３に設けられたスピーカ２７から、図柄変動演出に応じた効果音が出力されて、音による演出により遊技の興趣が向上される。
【００３５】
前記スピーカ２７は、前記前枠１３の前下枠部２５ｂに設けられた第１構成部２８および中枠１２の中下枠部２１ｂに設けられた第２構成部３２からなるエンクロージャの空間Ｓ１,Ｓ２に収容されている(図４参照)。すなわち、前記スピーカ２７の前面から出力された音は、前記放音孔２９ａからパチンコ機前方へ直接放出される。また、スピーカ２７の背面側から出力された音は、前記バスレフポート３１を介してパチンコ機前方へ放出される。実施例に係るパチンコ機１０では、前記スピーカ２７の背面側から出力された音の経路が、バスレフ構造に形成されており、スピーカ２７の背面側から出力された音の低音域が増強されて、バスレフポート３１から放出される音による音響効果の向上を図り得る。
【００３６】
実施例のパチンコ機１０では、遊技構成部材としての前記打球発射装置２３を配設するために前記中枠１２に設けられた第２構成部３２を利用してスピーカ用のエンクロージャを構成するようにしたので、前枠１３や中枠１２に専用のエンクロージャを設ける場合に比べて設計が容易で、かつ大きな容量を容易に確保することができる。また、スピーカ２７およびエンクロージャは、枠１２,１３に設けられているので、枠側に設けた基板とスピーカ２７との配線の接続作業が容易となる。また、第２構成部３２は、中枠１２に一体成形したものであるので、該第２構成部３２をネジ止め固定する等の煩雑な作業を省略することができ、組み立て工数を削減できる。
【００３７】
前記前枠１３は、メンテナンス等のために中枠１２に対して開閉自在に支持され、両者１２,１３の対向面間には組み付け誤差等に起因して隙間が生ずるのは避けられず、そのために前記スピーカ２７の背面側から出力される音が隙間から漏れて、バスレフポート３１から出力される音量や音質が低下するおそれがある。しかしながら、実施例のパチンコ機１０では、前記中枠１２の第２構成部３２の前端部にシール材３５を配設し、中枠１２に対して前枠１３を閉成した閉鎖状態では、該前枠１３の第１構成部２８の後端部と中枠１２の第２構成部３２の前端部とがシール材３５を介して突き合わされるよう構成したので、エンクロージャを構成する第１構成部２８と第２構成部３２との突き合わせ部を密閉することができる。従って、スピーカ２７の背面側から出力された音がバスレフポート３１以外から漏れるのを防ぐことができ、バスレフポート３１から出力される音量や音質の低下を防止し得る。
【００３８】
ここで、不正行為者または遊技者によって、前記前枠１３の球受け皿１６,１７等を持って前側に引っ張って、該前枠１３と中枠１２との間に隙間を形成し、該隙間からピアノ線等の不正行為物を遊技領域１４ａ内に挿入する不正行為や悪戯が行われることがある。この場合には、前記第１構成部２８と第２構成部３２との間に隙間が生ずると、音漏れによって前記バスレフポート３１から出力される音量や音質の低下を来たしてしまう。しかしながら、実施例のパチンコ機１０では、前記中枠１２の第２構成部３２および前枠１３の第１構成部２８の近傍に、中枠１２に対する前枠１３の閉鎖状態(閉成した状態)で係合して前枠１３の前方(開放方向)への移動を規制する係合部３８および被係合部３７を設けている。すなわち、中枠１２に対して前枠１３を前側に引っ張って両枠１２,１３間に隙間をあけようとしても、係合部３８と被係合部３７との係合作用下に前枠１３の移動が規制され、隙間が形成されるのを防ぐことができる。そして、係合部３８と被係合部３７との係合によって第１構成部２８と第２構成部３２とが離間して隙間ができるのを好適に防止することができるので、エンクロージャとしての機能が損なわれるのを防止し得る。
【００３９】
(変更例)
本願は前述した実施例の構成に限定されるものではなく、その他の構成を適宜に採用することができる。
(1) 実施例では、遊技構成部材としての打球発射装置を配設するための第２構成部を利用して、スピーカ用のエンクロージャを構成するようにしたが、遊技構成部材としては、各種基板やその他の電気部品等であってもよい。また、第２構成部が設けられる位置は、中下枠部に限らず、対象となる遊技構成部材が配設される中上枠部、中第１側枠部、中第２側枠部の何れであってもよく、そして中枠に設けられた第２構成部と対応する前枠の枠部に第１構成部を設ければよい。
(2) 実施例では、施錠操作部が前枠に設けられる構成の施錠装置の場合で説明したが、施錠操作部を中枠に設けた施錠装置を採用することができ、この構成の場合では、被係合部を前枠に設けると共に、施錠装置の開錠操作に連動して作動する係合部を中枠に配設する構成を採用し得る。
(3) 実施例では、移動規制手段を構成する被係合部や係合部を、対応する構成部の下方に設けるようにしたが、該構成部の上方あるいは側方に近接して設けるようにしてもよい。また、移動規制手段を、構成部の周囲の複数箇所に設けることもできる。
(4) 実施例では、第２構成部にシール材を配設したが、第１構成部の前筒状部の後端部に段部を設け、該段部にシール材を配設する構成(図４とは逆の構成)を採用し得る。このように、第１構成部にシール材を配設する構成を採用すれば、中枠の第２構成部については、純粋に遊技構成部材を配設するための形状とすればよく、第２構成部の形状をシンプルにし得る。
(5) 実施例では、前枠にバスレフポートを用けるようにしたが、該バスレフポートは必要に応じて設ければよい。
(6) 外枠に、第３空間を画成する第３構成部を設け、前枠を閉成した中枠を外枠に対して閉成した状態で、中枠の第２空間が外枠の第３空間と連通するよう構成して、前枠、中枠および外枠の各空間が連通することで、第１構成部、第２構成部および第３構成部によって大容量のスピーカ用のエンクロージャを構成することもできる。具体的には、例えば外枠の外下枠部に設けた第３構成部に、表側に第３空間を開放する外枠連通口を設け、中枠における第２構成部に、第２空間を表側に開放する前側連通口および裏側に開放する裏側連通口を設け、前枠における第１構成部に、第１空間を裏側に開放する前枠連通口を設け、中枠に対して前枠を閉成することで、前枠の前枠連通口および中枠の前側連通口を画成する各壁部が当接して第１空間と第２空間とが前枠連通口および前側連通口を介して連通するよう構成すると共に、前枠を閉成した中枠を外枠に対して閉成することで、中枠の裏側連通口および外枠の外枠連通口を画成する各壁部が当接して第２空間と第３空間とが裏側連通口および外枠連通口を介して連通するよう構成する。これにより、前枠、中枠および外枠の３つの枠に形成された３つの構成部の各空間が相互に連通し、大容量のスピーカ用のエンクロージャを構成できる。なお、前枠の前枠連通口および中枠の前側連通口を画成する両壁部の一方または両方に、対応する連通口を囲繞するようにシール材を設けると共に、外枠の外枠連通口および中枠の裏側連通口を画成する両壁部の一方または両方に、対応する連通口を囲繞するようにシール材を設ければ、３つの枠を相互に閉成した状態での密閉性を向上し得る。
(7) 遊技機としては、パチンコ機に限られるものではなく、アレンジボール機やスロットマシン等、その他各種の遊技機であってもよい。
【符号の説明】
【００４０】
１１ 外枠
１２ 中枠
１３ 前枠
１４ 遊技盤
１４ａ 遊技領域
２３ 打球発射装置(遊技構成部材)
２７ スピーカ
２７ａ 出力部
２８ 第１構成部(エンクロージャ)
３１ バスレフポート
３２ 第２構成部(エンクロージャ)
３６ 施錠装置
３７ 被係合部
３８ 係合部
Ｓ１ 第１空間
Ｓ２ 第２空間
【図１】
2019005098.tif 000003
【図２】
2019005098.tif 000004
【図３】
2019005098.tif 000005
【図４】
2019005098.tif 000006
【図５】
2019005098.tif 000007